(57)【要約】  ワイヤレスデバイスを動作させる方法は、第１のノードと通信するための、帯域のセットのうちの帯域の好ましいサブセットを決定することと、スケジューリング要求を第１のノードと通信することと、帯域の好ましいサブセットおよびスケジューリング要求に基づいて、帯域のセットの各帯域上でデータ送信をスケジューリングするか否かを決定することとを含む。【選択図】  図９
2013532452.tif 000002
【特許請求の範囲】
【請求項１】
ワイヤレスデバイスを動作させる方法において、
第１のノードと通信するための、帯域のセットのうちの帯域の好ましいサブセットを決定することと、
スケジューリング要求を前記第１のノードと通信することと、
前記帯域の好ましいサブセットおよび前記スケジューリング要求に基づいて、前記帯域のセットの各帯域上でデータ送信をスケジューリングするか否かを決定することとを含む方法。
【請求項２】
前記帯域の好ましいサブセットを決定することは、
隣接するリンクに対する帯域の好ましいサブセットを示す情報を受信することと、
前記受信した情報に基づいて、前記帯域の好ましいサブセットを選択することとを含む請求項１記載の方法。
【請求項３】
前記選択した帯域の好ましいサブセットを示す情報を送信することをさらに含む請求項２記載の方法。
【請求項４】
前記情報は、前記スケジューリング要求とともに送信される請求項３記載の方法。
【請求項５】
前記帯域の好ましいサブセットは、接続識別子および時間に基づいて決定される請求項１記載の方法。
【請求項６】
前記データ送信をスケジューリングするか否かを決定することは、前記帯域のセット中の各帯域に対して、
前記帯域の好ましいサブセットに基づいて、前記第１のノードとの通信に対する優先度を決定することと、
隣接するリンクの帯域の好ましいサブセットに基づいて、前記隣接するリンクに対する優先度を決定することと、
前記第１のノードとの通信に対する優先度および前記隣接するリンクに対する優先度に基づいて、前記帯域上で前記データをスケジューリングするか否かを決定することとを含む請求項１記載の方法。
【請求項７】
前記第１のノードとの通信に対する優先度および前記隣接するリンクに対する優先度は、接続識別子および時間に基づいている請求項６記載の方法。
【請求項８】
前記隣接するリンクからスケジューリング制御信号を受信することをさらに含み、前記帯域上で前記データをスケジューリングするか否かを決定することはさらに、前記受信したスケジューリング制御信号に基づいている請求項６記載の方法。
【請求項９】
前記スケジューリング要求は、送信要求および送信要求応答もしくは非応答を含み、前記データ送信は、前記送信要求応答が送信されるときにのみスケジューリングされる請求項１記載の方法。
【請求項１０】
前記帯域の好ましいサブセットを決定することは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定することと、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定することとを含む請求項１記載の方法。
【請求項１１】
前記帯域の好ましいサブセットは予め定められている請求項１記載の方法。
【請求項１２】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項１１記載の方法。
【請求項１３】
前記帯域のセット中の帯域のうちの少なくとも２個は、異なるサイズを有している請求項１記載の方法。
【請求項１４】
前記帯域は、周波数直交帯域である請求項１記載の方法。
【請求項１５】
前記帯域は、時間直交帯域である請求項１記載の方法。
【請求項１６】
ワイヤレス通信のための装置において、
第１のノードと通信するための、帯域のセットのうちの帯域の好ましいサブセットを決定する手段と、
スケジューリング要求を前記第１のノードと通信する手段と、
前記帯域の好ましいサブセットおよび前記スケジューリング要求に基づいて、前記帯域のセットの各帯域上でデータ送信をスケジューリングするか否かを決定する手段とを具備する装置。
【請求項１７】
前記帯域の好ましいサブセットを決定する手段は、
隣接するリンクに対する帯域の好ましいサブセットを示す情報を受信する手段と、
前記受信した情報に基づいて、前記帯域の好ましいサブセットを選択する手段とを備える請求項１６記載の装置。
【請求項１８】
前記選択した帯域の好ましいサブセットを示す情報を送信する手段をさらに具備する請求項１７記載の装置。
【請求項１９】
前記情報は、前記スケジューリング要求とともに送信される請求項１８記載の装置。
【請求項２０】
前記帯域の好ましいサブセットは、接続識別子および時間に基づいて決定される請求項１６記載の装置。
【請求項２１】
前記データ送信をスケジューリングするか否かを決定する手段は、前記帯域のセット中の各帯域に対して、
前記帯域の好ましいサブセットに基づいて、前記第１のノードとの通信に対する優先度を決定する手段と、
隣接するリンクの帯域の好ましいサブセットに基づいて、前記隣接するリンクに対する優先度を決定する手段と、
前記第１のノードとの通信に対する優先度および前記隣接するリンクに対する優先度に基づいて、前記帯域上で前記データをスケジューリングするか否かを決定する手段とを備える請求項１６記載の装置。
【請求項２２】
前記第１のノードとの通信に対する優先度および前記隣接するリンクに対する優先度は、接続識別子および時間に基づいている請求項２１記載の装置。
【請求項２３】
前記隣接するリンクからスケジューリング制御信号を受信する手段をさらに具備し、前記帯域上で前記データをスケジューリングするか否かを決定する手段はさらに、前記受信したスケジューリング制御信号に基づいている請求項２１記載の装置。
【請求項２４】
前記スケジューリング要求は、送信要求および送信要求応答もしくは非応答を含み、前記データ送信は、前記送信要求応答が送信されるときにのみスケジューリングされる請求項１６記載の装置。
【請求項２５】
前記帯域の好ましいサブセットを決定する手段は、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定する手段と、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定する手段とを備える請求項１６記載の装置。
【請求項２６】
前記帯域の好ましいサブセットは予め定められている請求項１６記載の装置。
【請求項２７】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項２６記載の装置。
【請求項２８】
前記帯域のセット中の帯域のうちの少なくとも２個は、異なるサイズを有している請求項１６記載の装置。
【請求項２９】
前記帯域は、周波数直交帯域である請求項１６記載の装置。
【請求項３０】
前記帯域は、時間直交帯域である請求項１６記載の装置。
【請求項３１】
ワイヤレスデバイス中のコンピュータプログラムプロダクトにおいて、
コンピュータ読取可能媒体を含み、
前記コンピュータ読取可能媒体は、
第１のノードと通信するための、帯域のセットのうちの帯域の好ましいサブセットを決定するためのコードと、
スケジューリング要求を前記第１のノードと通信するためのコードと、
前記帯域の好ましいサブセットおよび前記スケジューリング要求に基づいて、前記帯域のセットの各帯域上でデータ送信をスケジューリングするか否かを決定するためのコードとを有するコンピュータプログラムプロダクト。
【請求項３２】
前記帯域の好ましいサブセットを決定するためのコードは、
隣接するリンクに対する帯域の好ましいサブセットを示す情報を受信するためのコードと、
前記受信した情報に基づいて、前記帯域の好ましいサブセットを選択するためのコードとを有する請求項３１記載のコンピュータプログラムプロダクト。
【請求項３３】
前記コンピュータ読取可能媒体は、前記選択した帯域の好ましいサブセットを示す情報を送信するためのコードをさらに有する請求項３２記載のコンピュータプログラムプロダクト。
【請求項３４】
前記情報は、前記スケジューリング要求とともに送信される請求項３３記載のコンピュータプログラムプロダクト。
【請求項３５】
前記帯域の好ましいサブセットは、接続識別子および時間に基づいて決定される請求項３１記載のコンピュータプログラムプロダクト。
【請求項３６】
前記データ送信をスケジューリングするか否かを決定するためのコードは、前記帯域のセット中の各帯域に対して、
前記帯域の好ましいサブセットに基づいて、前記第１のノードとの通信に対する優先度を決定するためのコードと、
隣接するリンクの帯域の好ましいサブセットに基づいて、前記隣接するリンクに対する優先度を決定するためのコードと、
前記第１のノードとの通信に対する優先度および前記隣接するリンクに対する優先度に基づいて、前記帯域上で前記データをスケジューリングするか否かを決定するためのコードとを有する請求項３１記載のコンピュータプログラムプロダクト。
【請求項３７】
前記第１のノードとの通信に対する優先度および前記隣接するリンクに対する優先度は、接続識別子および時間に基づいている請求項３６記載のコンピュータプログラムプロダクト。
【請求項３８】
前記隣接するリンクからスケジューリング制御信号を受信するためのコードをさらに含み、前記帯域上で前記データをスケジューリングするか否かを決定するためのコードはさらに、前記受信したスケジューリング制御信号に基づいている請求項３６記載のコンピュータプログラムプロダクト。
【請求項３９】
前記スケジューリング要求は、送信要求および送信要求応答もしくは非応答を含み、前記データ送信は、前記送信要求応答が送信されるときにのみスケジューリングされる請求項３１記載のコンピュータプログラムプロダクト。
【請求項４０】
前記帯域の好ましいサブセットを決定するためのコードは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定するためのコードと、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定するためのコードとを有する請求項３１記載のコンピュータプログラムプロダクト。
【請求項４１】
前記帯域の好ましいサブセットは予め定められている請求項３１記載のコンピュータプログラムプロダクト。
【請求項４２】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項４１記載のコンピュータプログラムプロダクト。
【請求項４３】
前記帯域のセット中の帯域のうちの少なくとも２個は、異なるサイズを有している請求項３１記載のコンピュータプログラムプロダクト。
【請求項４４】
前記帯域は、周波数直交帯域である請求項３１記載のコンピュータプログラムプロダクト。
【請求項４５】
前記帯域は、時間直交帯域である請求項３１記載のコンピュータプログラムプロダクト。
【請求項４６】
ワイヤレス通信のための装置において、
第１のノードと通信するための、帯域のセットのうちの帯域の好ましいサブセットを決定し、
スケジューリング要求を前記第１のノードと通信し、
前記帯域の好ましいサブセットおよび前記スケジューリング要求に基づいて、前記帯域のセットの各帯域上でデータ送信をスケジューリングするか否かを決定するように構成されている処理システムを具備する装置。
【請求項４７】
前記帯域の好ましいサブセットを決定するために、前記処理システムは、
隣接するリンクに対する帯域の好ましいサブセットを示す情報を受信し、
前記受信した情報に基づいて、前記帯域の好ましいサブセットを選択するように構成されている請求項４６記載の装置。
【請求項４８】
前記処理システムは、前記選択した帯域の好ましいサブセットを示す情報を送信するようにさらに構成されている請求項４７記載の装置。
【請求項４９】
前記情報は、前記スケジューリング要求とともに送信される請求項４８記載の装置。
【請求項５０】
前記帯域の好ましいサブセットは、接続識別子および時間に基づいて決定される請求項４６記載の装置。
【請求項５１】
前記データ送信をスケジューリングするか否かを決定するために、前記処理システムは、前記帯域のセット中の各帯域に対して、
前記帯域の好ましいサブセットに基づいて、前記第１のノードとの通信に対する優先度を決定し、
隣接するリンクの帯域の好ましいサブセットに基づいて、前記隣接するリンクに対する優先度を決定し、
前記第１のノードとの通信に対する優先度および前記隣接するリンクに対する優先度に基づいて、前記帯域上で前記データをスケジューリングするか否かを決定するように構成されている請求項４６記載の装置。
【請求項５２】
前記第１のノードとの通信に対する優先度および前記隣接するリンクに対する優先度は、接続識別子および時間に基づいている請求項５１記載の装置。
【請求項５３】
前記処理システムは、前記隣接するリンクからスケジューリング制御信号を受信するようにさらに構成され、前記処理システムは、前記受信したスケジューリング制御信号に基づいて、前記帯域上で前記データをスケジューリングするか否かを決定するようにさらに構成されている請求項５１記載の装置。
【請求項５４】
前記スケジューリング要求は、送信要求および送信要求応答もしくは非応答を含み、前記データ送信は、前記送信要求応答が送信されるときにのみスケジューリングされる請求項４６記載の装置。
【請求項５５】
前記帯域の好ましいサブセットを決定するために、前記処理システムは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定し、
前記第１のノードとの前記ＳＮＲが、前記第１のしきい値よりも少ない、または、前記第１のノードとの通信が、第２のしきい値を下回るデータレートを必要とするときに、ｍ個よりも少ないｎ個の帯域を含むように前記好ましいサブセットを決定するように構成されている請求項４６記載の装置。
【請求項５６】
前記帯域の好ましいサブセットは予め定められている請求項４６記載の装置。
【請求項５７】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項５６記載の装置。
【請求項５８】
前記帯域のセット中の帯域のうちの少なくとも２個は、異なるサイズを有している請求項４６記載の装置。
【請求項５９】
前記帯域は、周波数直交帯域である請求項４６記載の装置。
【請求項６０】
前記帯域は、時間直交帯域である請求項４６記載の装置。
【発明の詳細な説明】
【分野】
【０００１】
本開示は、一般的に、通信システムに関連し、より詳細には、ワイヤレスピアツーピアネットワークにおける周波数分割多重化（ＦＤＭ）または時分割多重化（ＴＤＭ）をサポートすることに関連する。
【背景】
【０００２】
帯域全体においてリンクがスケジューリングされているピアツーピアネットワークでは、長いリンクは、それらが低い信号対干渉プラスノイズ比（ＳＩＮＲ）を有し、それらが大きなフットプリントを残すことから、低いデータレートになる。大きなフットプリントは、長いリンクに他の多くのリンクとリソースを共有させる。長いリンクは、より短いリンクのような他のリンクとリソースを共有することから、長いリンクは、短いリンクと比較して、それほど頻繁にはスケジューリングされない。さらに、より大きなフットプリントのために、長いリンクがスケジューリングされるとき、長いリンクの近くの他の多くの高レートの短いリンクはスケジューリングされることができず、システムスループットにおける著しい低下を生じさせる。この問題を軽減させ、システムスループットにおける減少を生じさせる必要性が存在する。
【概要】
【０００３】
本開示のある態様では、ワイヤレスデバイスを動作させる方法は、第１のノードと通信するための、帯域のセットのうちの帯域の好ましいサブセットを決定することと、スケジューリング要求を第１のノードと通信することと、帯域の好ましいサブセットおよびスケジューリング要求に基づいて、帯域のセットの各帯域上でデータ送信をスケジューリングするか否かを決定することとを含む。
【０００４】
本開示のある態様では、ワイヤレス通信のための装置は、第１のノードと通信するための、帯域のセットのうちの帯域の好ましいサブセットを決定する手段と、スケジューリング要求を第１のノードと通信する手段と、帯域の好ましいサブセットおよびスケジューリング要求に基づいて、帯域のセットの各帯域上でデータ送信をスケジューリングするか否かを決定する手段とを具備する。
【０００５】
本開示のある態様では、ワイヤレスデバイス中のコンピュータプログラムプロダクトは、コンピュータ読取可能媒体を含む。コンピュータ読取可能媒体は、第１のノードと通信するための、帯域のセットのうちの帯域の好ましいサブセットを決定するためのコードと、スケジューリング要求を第１のノードと通信するためのコードと、帯域の好ましいサブセットおよびスケジューリング要求に基づいて、帯域のセットの各帯域上でデータ送信をスケジューリングするか否かを決定するためのコードとを有する。
【０００６】
本開示のある態様では、ワイヤレス通信のための装置は、処理システムを具備する。処理システムは、第１のノードと通信するための、帯域のセットのうちの帯域の好ましいサブセットを決定し、スケジューリング要求を第１のノードと通信し、帯域の好ましいサブセットおよびスケジューリング要求に基づいて、帯域のセットの各帯域上でデータ送信をスケジューリングするか否かを決定するように構成されている。
【図面の簡単な説明】
【０００７】
【図１】図１は、処理システムを用いる装置に対するハードウェアインプリメンテーションの例を図示するダイヤグラムである。
【図２】図２は、例示的なワイヤレスピアツーピア通信システムの図である。
【図３】図３は、ワイヤレス通信デバイス間のピアツーピア通信に対する時間構造を図示しているダイヤグラムである。
【図４】図４は、１つのグランドフレーム中のスーパーフレームの各フレームにおけるチャネルを図示しているダイヤグラムである。
【図５】図５は、多種多様なチャネルの動作タイムラインと、ＣＩＤブロードキャストの構造とを図示しているダイヤグラムである。
【図６】図６は、トラフィックチャネルスロットの動作タイムラインと、接続スケジューリングの構造とを図示しているダイヤグラムである。
【図７】図７は、データセグメントの構造を図示しているダイヤグラムである。
【図８Ａ】図８Ａは、ワイヤレス通信デバイスに対する例示的な接続スケジューリングシグナリングスキームを図示している第１のダイヤグラムである。
【図８Ｂ】図８Ｂは、ワイヤレス通信デバイスに対する例示的な接続スケジューリングシグナリングスキームを図示している第２のダイヤグラムである。
【図９】図９は、例示的なデータセグメントの構造を図示しているダイヤグラムである。
【図１０Ａ】図１０Ａは、帯域幅スケジューリングを図示している第１のダイヤグラムである。
【図１０Ｂ】図１０Ｂは、帯域幅スケジューリングに図示している第２のダイヤグラムである。
【図１１Ａ】図１１Ａは、長いリンクと短いリンクとの間で帯域を分割することを図示している第１のダイヤグラムである。
【図１１Ｂ】図１１Ｂは、長いリンクと短いリンクとの間で帯域を分割することを図示している第２のダイヤグラムである。
【図１２】図１２は、ワイヤレス通信の方法のフローチャートである。
【図１３】図１３は、例示的な装置の機能性を図示している概念ブロックダイヤグラムである。
【詳細な説明】
【０００８】
添付の図面に関連して以下で述べられる詳細な説明は、さまざまな構成の説明として意図されており、ここで説明される概念を実行できる唯一の構成を表すようには意図されてはいない。詳細な説明は、さまざまな概念の完全な理解を提供する目的のために特定の詳細を含む。しかしながら、これらの概念をこれらの特定の詳細なしで実行できることは当業者にとって明らかになる。いくつかの例では、そのような概念を曖昧にすることを避けるために、よく知られている構造およびコンポーネントをブロックダイヤグラムで示している。
【０００９】
これから、さまざまな装置および方法を参照して、通信システムのいくつかの態様を示す。これらの装置および方法は、以下の詳細な説明において説明され、付随する図面において、（集合的には「エレメント」と呼ばれる）さまざまなブロック、モジュール、コンポーネント、回路、ステップ、プロセス、アルゴリズム等により図示されている。これらのエレメントは、電子ハードウェア、コンピュータソフトウェアまたはこれらの任意の組み合わせを使用して実現されてもよい。このようなエレメントがハードウェアまたはソフトウェアとして実現されるか否かは、特定のアプリケーションおよびシステム全体に課された設計の制約に依存する。
【００１０】
例として、エレメントまたはエレメントの任意の一部あるいはエレメントの任意の組み合わせは、１つ以上のプロセッサを備える「処理システム」により実現してもよい。プロセッサの例は、本開示全体を通して説明されるさまざまな機能を実行するように構成されている、マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、状態機械、ゲート論理、離散ハードウェア回路および他の適切なハードウェアを含む。処理システムにおける１つ以上のプロセッサは、ソフトウェアを実行してもよい。ソフトウェアは、ソフトウェアで、ファームウェアで、ミドルウェアで、マイクロコードで、ハードウェア記述言語で、または、別の方法で呼ばれるかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、機能等を意味するように広く解釈されるべきである。ソフトウェアは、コンピュータ読取可能媒体に存在することができる。コンピュータ読取可能媒体は、例として、ソフトウェアを記憶または送信するための、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、搬送波、伝送回線、および、他の何らかの適切な媒体を含んでもよい。コンピュータ読取可能媒体は、処理システムに、処理システムの外部に存在してもよく、または、処理システムを含む複数のエンティティにわたって分散されてもよい。コンピュータ読取可能媒体は、コンピュータプログラムプロダクト中で具現化されてもよい。例として、コンピュータプログラムプロダクトは、パッケージングマテリアルにおけるコンピュータ読取可能媒体を含んでもよい。当業者は、システム全体に課された特定のアプリケーションおよび全体的な設計の制約に依存して、本開示全体を通して提示され説明される機能をどのように実現することが最良であるかを認識するだろう。
【００１１】
図１は、処理システム１１４を用いる装置１００に対するハードウェアインプリメンテーションの例を図示している概念ダイヤグラムである。装置１００はまた、当業者により、ユーザ機器、移動局、加入者局、移動体ユニット、加入者ユニット、ワイヤレスユニット、ワイヤレスノード、遠隔ユニット、移動体デバイス、ワイヤレスデバイス、ワイヤレス通信デバイス、遠隔デバイス、移動体加入者局、アクセス端末、移動端末、ワイヤレス端末、遠隔端末、ハンドセット、ユーザエージェント、移動体クライアント、クライアント、または他の何らかの適切な専門用語で呼ばれることがある。処理システム１１４は、バス１０２により一般的に表されるバスアーキテクチャにより実現してもよい。バス１０２は、処理システム１１４の特定のアプリケーションおよび全体的な設計制約に依存して、任意の数の相互接続バスおよびブリッジを含んでもよい。バス１０２は、プロセッサ１０４により一般的に表される１つ以上のプロセッサ、および、コンピュータ読取可能媒体１０６により一般的に表されるコンピュータ読取可能媒体を含むさまざまな回路を互いにリンクさせる。バス１０２はまた、技術的によく知られており、それゆえ、これ以上は説明しない、タイミングソース、周辺機器、電圧レギュレータ、電力管理回路のような、他のさまざまな回路をリンクさせてもよい。バスインターフェース１０８は、バス１０２とトランシーバ１１０との間のインターフェースを提供する。トランシーバ１１０は、送信媒体を通して他のさまざまな装置と通信する手段を提供する。
【００１２】
プロセッサ１０４は、バス１０２の管理、および、コンピュータ読取可能媒体１０６に記憶されたソフトウェアの実行を含む汎用処理を担っている。ソフトウェアは、プロセッサ１０４によって実行されるとき、後述するさまざまな機能を何らかの特定の装置に対して処理システム１１４に実行させる。また、コンピュータ読取可能媒体１０６は、ソフトウェアを実行するときにプロセッサ１０４によって操作されるデータを記憶させるために使用してもよい。
【００１３】
図２は、例示的なワイヤレスピアツーピア通信システム２００の図である。ワイヤレスピアツーピア通信システム２００は、複数のワイヤレス通信デバイス１００を備える。例えば、デバイス７のような、ワイヤレス通信デバイス１００のうちのいくつかは、インターネットおよび／または他のネットワークノードへのインターフェース２３０を備える。ワイヤレス通信デバイス１００のうちのいくつかは、ハンドヘルド移動体デバイスのようなワイヤレス通信デバイスであってもよい。ワイヤレス通信デバイス１００は、直接的なピアツーピア通信をサポートする。
【００１４】
後述する例示的な方法および装置は、例えば、ＦｌａｓｈＬｉｎＱ（登録商標）、ＷｉＭｅｄｉａ（登録商標）、ブルートゥース（登録商標）、ＺｉｇＢｅｅ（登録商標）、または、ＩＥＥＥ８０２．１１標準規格に基づいているＷｉ−Ｆｉ（登録商標）に基づくワイヤレスピアツーピア通信システムのような、さまざまなワイヤレスピアツーピアピア通信システムのうちの任意のものに対して適用可能である。記述を簡略化するために、例示的な方法および装置は、図３、４、５、６Ａおよび６Ｂに関して、ＦｌａｓｈＬｉｎＱという文脈の内で記述される。しかしながら、例示的な方法および装置は、より一般的に、さまざまな他のワイヤレスピアツーピア通信システムに対して適用可能であることを当業者は理解するだろう。
【００１５】
図３は、ワイヤレス通信デバイス１００間のピアツーピア通信に対する時間構造を図示しているダイヤグラム３００である。ウルトラフレームは、５１２秒であり、６４個のメガフレームを含む。各メガフレームは、８秒であり、８個のグランドフレームを含む。各グランドフレームは、１秒であり、１５個のスーパーフレームを含む。各スーパーフレームは、およそ６６．６７ミリ秒であり、３２個のフレームを含む。各フレームは２．０８３３ミリ秒である。
【００１６】
図４は、１つのグランドフレーム中のスーパーフレームの各フレームにおけるチャネルを図示しているダイヤグラム４００である。（インデックス０を持つ）第１のスーパーフレーム中では、フレーム０は予約されたチャネル（ＲＣＨ）であり、フレーム１〜１０は各多種多様なチャネル（ＭＣＣＨ）であり、フレーム１１〜３１は各トラフィックチャネル（ＴＣＣＨ）である。（インデックス１：６を持つ）２番目ないし７番目のスーパーフレーム中では、フレーム０はＲＣＨであり、フレーム１〜３１は各ＴＣＣＨである。（インデックス７を持つ）８番目のスーパーフレーム中では、フレーム０はＲＣＨであり、フレーム１〜１０は各ＭＣＣＨであり、フレーム１１〜３１は各ＴＣＣＨである。（インデックス８：１４を持つ）９番目ないし１５番目のスーパーフレーム中では、フレーム０はＲＣＨであり、フレーム１〜３１は各ＴＣＣＨである。スーパーフレームインデックス０のＭＣＣＨは、２次タイミング同期チャネル、ピア発見チャネル、ピアページチャネルおよび予約されたスロットを含む。スーパーフレームインデックス７のＭＣＣＨは、ピアページチャネルおよび予約されたスロットを含む。ＴＣＣＨは、接続スケジューリング、パイロット、チャネル品質インジケータ（ＣＱＩ）フィードバック、データセグメントおよび肯定応答（ＡＣＨ）を含む。
【００１７】
図５は、ＭＣＣＨの動作タイムラインと、ＣＩＤブロードキャストの構造とを図示しているダイヤグラム５００である。図４に関連して記述したように、スーパーフレームインデックス０のＭＣＣＨは、２次タイミング同期チャネル、ピア発見チャネル、ピアページングチャネルおよび予約されたスロットを含む。スーパーフレームインデックス０のＭＣＣＨ中のピアページングチャネルは、クイックページングチャネル、ＣＩＤブロードキャストチャネルおよびページ要求チャネルを含む。スーパーフレームインデックス７のＭＣＣＨは、ピアページングチャネルおよび予約されたスロットを含む。スーパーフレームインデックス７のＭＣＣＨ中のピアページングチャネルは、ページ応答チャネルおよびページ確認チャネルを含む。ＣＩＤブロードキャストチャネルは、新たな接続に対するＣＩＤ割振りのために分散プロトコルを提供し、ＣＩＤ衝突検出のためにメカニズムを提供し、通信ピアとのそのリンク接続が依然として存在する証拠をワイヤレスノードに提供する。
【００１８】
ＣＩＤブロードキャストの構造は、４個のブロックからなる。４個のブロックのそれぞれは、複数のリソースエレメント、すなわち、周波数ドメインにおける複数の副搬送波および時間ドメインにおける直交周波数分割多重化（ＯＦＤＭ）シンボルを含む。４個のブロックのそれぞれは、複数の副搬送波（例えば、２８個の副搬送波）にわたり、１６個のＯＦＤＭシンボルを含む。１個のリソースエレメント（またはトーン）は、１個の副搬送波および１個のＯＦＤＭシンボルに対応する。
【００１９】
各ＣＩＤに対して、隣り合うリソースエレメントの対が、ＣＩＤブロードキャストに対して、４個のブロックのそれぞれに割り振られる。隣り合うリソースエレメントの対において、第１のリソースエレメントが、ＴＣＣＨ中で送信するために使用する電力に比例するエネルギーを運び、第２のリソースエレメントが、ＴＣＣＨ中で受信する電力に反比例するエネルギーを運ぶ。所定のＣＩＤに対して、リソースエレメントの各対は、固定のＯＦＤＭシンボル位置と、各グランドフレームを変化させる、ブロック内の可変の副搬送波とを有する。任意の所定のリンクでは、リンクをランダムに開始したワイヤレスノードが、ＣＩＤブロードキャストに対して、ブロック０およびブロック２からブロックを選択し、リンク中の他のワイヤレスノードが、ＣＩＤブロードキャストに対して、ブロック１およびブロック３からブロックを選択する。したがって、特定のＣＩＤに対して、割り振られたリソースの半分のみが、そのＣＩＤを持つリンクによって利用される。ブロックのランダムな選択のために、第２のワイヤレスノードとのリンク中の第１のワイヤレスノードは、異なるリンク中の第３のワイヤレスノードまたは第４のワイヤレスノードが、第１のワイヤレスノードまたは第２のワイヤレスノードにより選択されたブロックとは異なるブロックを使用して、ＣＩＤブロードキャストを送信するときに、ＣＩＤ衝突を検出することができるようになる。
【００２０】
例えば、ＣＩＤ＝４を持つワイヤレスノードがＣＩＤブロードキャストに対してブロック０を選択すると仮定する。ワイヤレスノードは、ＣＩＤブロードキャストに対してリソースエレメント５０２、５０４を割り振られてもよい。リソースエレメント５０２中で、ワイヤレスノードは、ＴＣＣＨ中で送信するために使用する電力に比例するエネルギーを送信する。リソースエレメント５０４中で、ワイヤレスノードは、ＴＣＣＨ中で受信される電力に反比例するエネルギーを送信する。次のグランドフレーム中では、ワイヤレスノードは、異なる副搬送波を持つリソースエレメントの異なる対を有しているが、同一の関連ＯＦＤＭシンボル位置（すなわち、この例では、選択されたブロックの第１および第２のＯＦＤＭシンボル）を有していないかもしれない。
【００２１】
図６は、ＴＣＣＨスロットの動作タイムラインと、接続スケジューリングの構造とを図示しているダイヤグラム６００である。図６中で示しているように、ＴＣＣＨスロットは、４個のサブチャネル：接続スケジューリング、レートスケジューリング、データセグメントおよびＡＣＫを含む。レートスケジューリングサブチャネルは、パイロットセグメントおよびＣＱＩセグメントを含む。ＡＣＫサブチャネルは、データセグメントサブチャネル中で受信するデータに応答して、ハイブリッド自動再送要求（ＨＡＲＱ）肯定応答（ＡＣＫ）または否定応答（ＮＡＣＫ）を送信するためのものである。接続スケジューリングサブチャネルは、２個のブロック、上位優先度ブロックＨおよび下位優先度ブロックＬを含む。ブロックＨおよびブロックＬのそれぞれは、複数のリソースエレメント、すなわち、周波数ドメインにおける複数の副搬送波および時間ドメインにおけるＯＦＤＭシンボルを含む。ブロックＨおよびブロックＬのそれぞれは、複数の副搬送波にわたり、Ｔｘｐ−ブロック中に４個のＯＦＤＭシンボルを、Ｔｘ−ブロック中に４個のＯＦＤＭシンボルを、および、Ｒｘ−ブロック中に４個のＯＦＤＭシンボルを含む。１個のリソースエレメント（またはトーン）は、１個の副搬送波および１個のＯＦＤＭシンボルに対応する。
【００２２】
各リンクはＣＩＤを有する。特定のＴＣＣＨスロットに対して、ＣＩＤに基づいて、リンク中のワイヤレスノードは、ブロックＨまたはブロックＬ内で、特定の副搬送波における、Ｔｘｐ−ブロック、Ｔｘ−ブロックおよびＲｘ−ブロックのそれぞれの中の同一の各々のＯＦＤＭシンボル位置において、リソースエレメントを割り振られる。例えば、特定のＴＣＣＨスロット中では、ＣＩＤ＝４を持つリンクは、スケジューリング制御信号を送信／受信するために、ブロックＨのＴｘｐ−ブロック中でリソースエレメント６０２、ブロックＨのＴｘ−ブロック中でリソースエレメント６０４、および、ブロックＨのＲｘ−ブロック中でリソースエレメント６０６を割り振られてもよい。Ｔｘｐ−ブロック、Ｔｘ−ブロックおよびＲｘ−ブロックに対して割り振られたリソースエレメントの３つ組は、各ＴＣＣＨスロット中の、搬送波（ｋ個の異なる副搬送波）、および、各々のＯＦＤＭシンボル（例えば、８個の異なるＯＦＤＭシンボル−ブロックＨ中に４個およびブロックＬ中に４個）に対して変化する。
【００２３】
リンクに割り振られたリソースエレメントの３つ組は、リンクの媒体アクセス優先度を規定する。例えば、リソースエレメント６０２、６０４、６０６の３つ組は、ｉ＝２およびｊ＝１に対応する。ｉは、Ｔｘｐ、ＴｘおよびＲｘのサブブロックのそれぞれ中の各々のＯＦＤＭシンボルであり、ｊは副搬送波、ｋは副搬送波の数である場合に、媒体アクセス優先度はｋｉ＋ｊ＋１に等しい。したがって、ｋ＝２８と仮定すると、リソースエレメント６０２、６０４および６０６は、５８の媒体アクセス優先度に対応する。
【００２４】
図７は、データセグメントの構造を図示しているダイヤグラム７００である。データセグメントは、周波数ドメインにおける複数の副搬送波と時間ドメインにおけるＯＦＤＭシンボルとにわたる複数のリソースエレメントを含む。リソースエレメント７０４のような、データセグメント中のリソースエレメントのうちのいくつかは、データセグメントに対して使用するコーディングおよび／または変調に関するレートインジケータ情報を運んでもよい。リソースエレメント７０２のような、データセグメント中の他のリソースエレメントは、変調およびデコーディングのためのチャネルの推定を可能にするパイロットを運んでもよい。
【００２５】
図８Ａは、ワイヤレス通信デバイス１００に対する例示的な接続スケジューリングシグナリングスキームを図示している第１のダイヤグラムである。図８Ａに示しているように、ワイヤレスノードａ１（Ｎａ１）は、ワイヤレスノードｂ１（Ｎｂ１）と通信しており、ワイヤレスノードａ２（Ｎａ２）は、ワイヤレスノードｂ２（Ｎｂ２）と通信しており、ワイヤレスノードａ３（Ｎａ３）は、ワイヤレスノードｂ３（Ｎｂ３）と通信している。ワイヤレスノードＮａ１は、ワイヤレスノードＮｂ１と比較して送信優先度を有すると仮定し、ワイヤレスノードＮａ２は、ワイヤレスノードＮｂ２と比較して送信優先度を有すると仮定し、ワイヤレスノードＮａ３は、ワイヤレスノードＮｂ３と比較して送信優先度を有すると仮定する。リンクのそれぞれは、通信のための特定のスロットに依存する異なる媒体アクセス優先度を有する。通信のための特定のスロットに対して、リンク１（Ｎａ１、Ｎｂ１）は、２の媒体アクセス優先度を有すると仮定し、リンク２（Ｎａ２、Ｎｂ２）は、１の媒体アクセス優先度を有すると仮定し、リンク３（Ｎａ３、Ｎｂ３）は、７の媒体アクセス優先度を有すると仮定する。
【００２６】
図８Ｂは、ワイヤレス通信デバイス１００に対する例示的な接続スケジューリングシグナリングスキームを図示している第２のダイヤグラムである。図８Ｂは、接続スケジューリングサブチャネルにおける、ブロックＨ中のＴｘｐ、ＴｘおよびＲｘサブブロックの（媒体アクセス優先度１ないしｋに対応する）それぞれの第１のＯＦＤＭシンボル（ｉ＝０、図６参照）の接続スケジューリングリソースを示している。接続スケジューリングリソースは、複数の副搬送波を含み、副搬送波のそれぞれは、ｋ個の周波数帯域の１つに対応している。周波数帯域のそれぞれは、特定の媒体アクセス優先度に対応する。接続スケジューリングリソース中の１個のブロックは、３個のサブブロック／フェーズ：Ｔｘｐ、ＴｘおよびＲｘに分割されている。Ｔｘｐ−ブロックは、送信優先度を持つノードが送信機または受信機としてアクトするか否かを示すために、リンク中で送信優先度を持つノードによって使用される。送信優先度を持つノードが、Ｔｘｐ−ブロック中の割り振られたＯＦＤＭシンボル上で送信する場合に、送信優先度を持つノードは、送信機としてアクトする意向を、送信優先度を持たないノードに示す。送信優先度を持つノードが、Ｔｘｐ−ブロック中の割り振られたＯＦＤＭシンボル上で送信しない場合に、送信優先度を持つノードは、受信機としてアクトする意向を、送信優先度を持たないノードに示す。Ｔｘ−ブロックは、スケジューリングされるように要求するために、潜在的な送信機によって使用される。送信機は、Ｔｘ−ブロック中の割り振られたＯＦＤＭシンボル上で、トラフィックチャネル（すなわち、データセグメント）に対して使用される電力と同電力で、直接的な電力信号を送信する。各潜在的な受信機は、Ｔｘ−ブロック中のトーンをリッスンし、Ｔｘ−ブロックのそれぞれの上の受信電力を、それ自体のリンクの送信機に割り振られたＴｘ−ブロック上の受信電力と比較し、他のリンクの媒体アクセス優先度と比べてのそれ自体のリンクの媒体アクセス優先度に基づいて、および、比較に基づいて、Ｒｘ−譲渡するか否かを決定する。Ｒｘ−ブロックは、潜在的な受信機によって使用される。受信機が、Ｒｘ−譲渡することを選択する場合に、受信機は、Ｒｘ−ブロック中の割り振られたＯＦＤＭシンボル中で送信しない。そうでなければ、受信機は、それ自体のリンクの送信機から受信された直接的な電力信号の電力の逆に比例する電力で、Ｒｘ−ブロック中の割り振られたＯＦＤＭシンボル中で逆エコー電力信号を送信する。送信機のすべては、Ｒｘ−ブロック中のトーンをリッスンして、データセグメントの送信をＴｘ−譲渡するか否かを決定する。
【００２７】
ある例に関連して、接続スケジューリングシグナリングスキームを最善に説明する。ノードＮａ２は、送信するデータを有さず、媒体アクセス優先度１に対してＴｘｐ−ブロック中で送信せず、Ｎａ１は、送信するデータを有し、媒体アクセス優先度２に対してＴｘｐ−ブロック中で送信し、ノードＮａ３は、送信するデータを有し、媒体アクセス優先度７に対してＴｘｐ−ブロック中で送信する。ノードＮｂ２は、送信するデータを有し、媒体アクセス優先度１に対してＴｘ−ブロック中で送信し、ノードＮａ１は、媒体アクセス優先度２に対してＴｘ−ブロック中で送信し、ノードＮａ３は、媒体アクセス優先度７に対してＴｘ−ブロック中で送信する。ノードＮａ２は、Ｔｘ−ブロック中のトーンをリッスンし、ノードＮａ２が最高の優先度を有していることから、媒体アクセス優先度１に対してＲｘ−ブロック中で送信することを決定する。ノードＮｂ１は、Ｔｘ−ブロック中のトーンをリッスンし、そのリンクは、より高い媒体アクセス優先度を有するリンク２に干渉しないだろうことを決定し、媒体アクセス優先度２に対してＲｘ−ブロック中で送信する。ノードＮｂ３は、Ｔｘ−ブロック中のトーンをリッスンし、そのリンクは、より高い媒体アクセス優先度を有するリンク１および／またはリンク２に干渉するだろうことを決定し、媒体アクセス優先度７に対してＲｘ−ブロック中で送信しないことにより、Ｒｘ−譲渡する。続いて、Ｎｂ２およびＮａ１の双方は、Ｒｘブロック中のトーンをリッスンし、データを送信するか否かを決定する。Ｎｂ２は、Ｎａ１よりも高いリンクの媒体アクセス優先度を有することから、Ｎｂ２がそのデータを送信する。Ｎａ１は、Ｎａ１がその送信がＮｂ２からの送信に干渉するだろうと決定する場合に、データの送信をＴｘ−譲渡する。
【００２８】
図９は、例示的なデータセグメントの構造を図示しているダイヤグラム９００である。長いリンクは、周波数スペクトル全体が同時に使用されるとき、しきい値を下回る信号対ノイズ比（ＳＮＲ）を有するリンクである。短いリンクは、長いリンクではないすべてのリンクである。前述したように、長いリンクの大きなフットプリントのために、長いリンクは、短いリンクと比較して、それほど頻繁にはスケジューリングされず、および／または、長いリンクの近くにある高いレートの短いリンクは、スケジューリングされることができない。ＦＤＭは、周波数においてリンクを直交させて、短いおよび長いリンクを同時にスケジューリングできるようにすることにより、この問題を緩和する。ダイヤグラム９００中では、ワイヤレスアドホックピアツーピアネットワーク（例えば、ＦｌａｓｈＬｉｎＱ）中でＦＤＭをサポートする例示的なデータセグメント９０２を提供している。データセグメント９０２は、ｎ個の帯域９０４に分割される。
【００２９】
各ワイヤレスリンクは、ｎ個の帯域のうちの好ましい帯域のサブセットを選択する。リンクは、それらの好ましい帯域上でスケジューリングされることのより高い優先度を有している。リンクがサブセット中の第１および第２の帯域を選択する場合に、リンクが、第２の帯域中よりも第１の帯域中でより高い優先度を有することができるように、サブセットはリンク優先度に基づいて順序付けされてもよい。サブセットは、０とｎとの間の任意のサイズであるとすることができる。ワイヤレスリンクは、それらのＣＩＤとそれらの好ましいサブセットを隣接するリンクにブロードキャストする。ブロードキャストは、ブロードキャストチャネルを使用するスロータイムスケール（例えば、〜１秒）であってもよい。例えば、ブロードキャストは、スーパーフレームインデックス０またはスーパーフレームインデックス７のいずれか（図４および図５参照）の中のＭＣＣＨ中の予約されたセグメントの部分を利用してもよい。特に、スーパーフレームインデックス０中のＭＣＣＨ中のＣＩＤブロードキャストチャネルは、好ましい帯域のサブセットをブロードキャストするために使用されてもよい。各リンクは、隣接するリンクのリスト（すなわち、ＣＩＤ）およびそれらの好ましいサブセットを維持する。リンクは、接続を確立しつつ、サブセットを選択してもよく、隣接するリンクの観測に基づいて、サブセットを選択してもよく、近くのリンクにより選択された帯域を選択することを回避するように試行してもよい。
【００３０】
相対的な優先度は、リンクにより選択される好ましい帯域に基づいて規定されてもよい。特定の帯域が第１のリンクの好ましいサブセットに属するが、第２のリンクの好ましいサブセットに属さない場合に、第１のリンクは、第２のリンクと比較して優先度を有する。特定の帯域が、第１のリンクおよび第２のリンクの双方の好ましいサブセットに属する場合に、優先度は、好ましいサブセットのサイズ、あるいは、好ましいサブセット中の帯域のロケーション／順序のような、別の基準に基づいて決定されてもよい。特定の帯域が好ましいサブセットに属さない場合に、優先度は、他のいくつかの識別子に基づいて、予め定められているか、または、任意抽出されてもよい。
【００３１】
リンクは、スケジューリングに対して、接続スケジューリングリソース（図６参照）を平行して使用する。しかしながら、リンクは、帯域内のそれらの優先度に基づいて、スケジューリング決定帯域幅を作る。つまり、各帯域に対して、リンクは、帯域を別の送信にＴｘ−譲渡するか否か、または、帯域上でスケジューリングするか否かを決定する。リンクは、ｎ個の帯域のそれぞれに関係する相対的な優先度に基づいて、および、他のリンクから受信したスケジューリング制御信号に基づいて、帯域上で、譲渡するか、または、スケジューリングするかを決定する。例は、帯域幅スケジューリング決定を行うプロセスを最善にデモンストレートする。
【００３２】
図１０Ａは、帯域幅スケジューリングを図示している第１のダイヤグラム１０００である。図１０Ｂは、帯域幅スケジューリングを図示している第２のダイヤグラム１０５０である。図１０Ａ中で示しているように、ワイヤレスノードＡおよびＢは、第１のリンクＬ１中で通信しており、ワイヤレスノードＣおよびＤは、第２のリンクＬ２中で通信している。図１０Ｂ中で示しているように、リンクＬ１は、帯域１および帯域２をその好ましい帯域として選択し、リンクＬ２は、帯域２および３をその好ましい帯域として選択した。帯域４は、リンクＬ１またはリンクＬ２のいずれによっても選択されなかった。前述したように、リンクＬ１、Ｌ２のそれぞれは、そのＣＩＤおよび好ましい帯域をブロードキャストする。したがって、Ｌ１は、Ｌ２に対するＣＩＤと、Ｌ２により選択された好ましい帯域とを知っており、Ｌ２は、Ｌ１に対するＣＩＤと、Ｌ１により選択された好ましい帯域とを知っている。
【００３３】
前述したように、接続スケジューリングの間に、リンクのそれぞれは、Ｔｘｐ、ＴｘおよびＲｘのサブブロック上でスケジューリング制御信号をブロードキャストしてもよい。リンクＬ１およびＬ２の双方が、接続スケジューリングにおけるＴｘおよびＲｘフェーズ中で送信すると仮定する。リンクＬ１は、Ｌ２によるＴｘまたはＲｘ送信を受信し、ブロードキャストの副搬送波およびＯＦＤＭシンボルに基づいて、ブロードキャストのＣＩＤを決定する。リンクＬ１はその後、ＣＩＤに関係する好ましい帯域を決定する。
【００３４】
各帯域に対して、Ｌ１は、帯域上で、Ｔｘ−譲渡するか、または、スケジューリングするかを決定する。したがって、帯域１に対して、リンクＬ１は、帯域１が、その好ましい帯域であって、リンクＬ２の好ましい帯域ではないことから、リンクＬ１が帯域１上でスケジューリングしてもよいことを決定してもよい。帯域２に対して、リンクＬ１は、帯域２が、その好ましい帯域であり、リンクＬ２の好ましい帯域でもあることから、リンクＬ１は、他の基準に依存して、スケジューリングするか、または、Ｔｘ−譲渡するかを決定しなくてはならない。例えば、リンクＬ１は、リンクＬ１の好ましいサブセットが、リンクＬ２の好ましいサブセットよりも大きい場合に、リンクＬ２にＴｘ−譲渡してもよい。このケースでは、好ましいサブセットのそれぞれは、サイズ２を有し、それゆえ、サイズにおいて等しい。別の例では、リンクＬ１は、好ましいサブセット中の帯域のロケーション／順序に基づいて、Ｔｘ−譲渡するか、または、スケジューリングするかを決定してもよい。このような構成では、リンクＬ１の好ましいサブセットは、帯域１、帯域２の順序で好ましい帯域をリストアップするが、リンク２は、帯域２、帯域３の順序で好ましい帯域をリストアップする場合に、帯域２が、リンクＬ１の好ましいサブセット中で２番目にリストアップされており、それゆえ、リンクＬ１に対する好ましいサブセット中でより低い優先度を有することから、および、帯域２は、リンクＬ２の好ましいサブセット中で最初にリストアップされており、それゆえ、リンクＬ２に対する好ましいサブセット中でより高い優先度を有することから、リンクＬ１は、リンクＬ２にＴｘ−譲渡してもよい。帯域３に対して、帯域３は、リンクＬ２の好ましい帯域であり、リンクＬ１の好ましい帯域ではないことから、リンクＬ１はリンクＬ２にＴｘ−譲渡する。帯域４に対して、リンクＬ１は、帯域４は、いずれのリンクに対しても好ましい帯域ではないことから、リンクＬ１は、他の基準に依存して、スケジューリングするか、または、Ｔｘ−譲渡するかを決定しなくてはならない。このような状況では、リンクＬ１は、特定のＴＣＣＨスロットに対して、予め定められている、または、任意抽出された優先度に基づいて、Ｔｘ−譲渡するか、または、スケジューリングするか決定してもよい。
【００３５】
同様に、各帯域に対して、リンクＬ２は、帯域上で、Ｔｘ−譲渡するか、または、スケジューリングするかを決定する。したがって、帯域１に対して、リンクＬ２は、帯域１が、その好ましい帯域ではなく、リンクＬ１の好ましい帯域であることから、リンクＬ２が帯域１上でＴｘ−譲渡すべきことを決定する。帯域２に対して、リンクＬ２は、帯域２が、その好ましい帯域であり、リンクＬ１の好ましい帯域でもあることから、リンクＬ２は、他の基準に依存して、スケジューリングするか、または、Ｔｘ−譲渡するかを決定しなくてはならない。帯域３に対して、リンクＬ２は、帯域３が、その好ましい帯域であって、リンクＬ２の好ましい帯域ではないことから、リンクＬ２が帯域３上でスケジューリングしてもよいことを決定する。帯域４に対して、リンクＬ２は、帯域４は、いずれのリンクに対しても好ましい帯域ではないことから、リンクＬ２は、例えば、特定のＴＣＣＨスロットに対して、予め定められている、または、任意抽出された優先度のような、他の基準に依存して、スケジューリングするか、または、Ｔｘ−譲渡するかを決定しなくてはならない。
【００３６】
上の例では、リンクＬ１、Ｌ２のそれぞれは、リソースをめぐって争っていた。例えば、リンクＬ２が、特定のＴＣＣＨスロットに対して送信するデータを有しておらず、それゆえ、スケジューリング制御信号（例えば、Ｔｘおよび／またはＲｘ）を送らない場合に、リンクＬ１は、リンクＬ２に譲渡せず、それゆえ、帯域の４個すべての上でスケジューリングしてもよい。
【００３７】
さらに、前述したように、リンクは、帯域のそれぞれの上で、Ｔｘ−譲渡するか、または、スケジューリングするかを決定する。Ｒｘ−譲渡に関して、リンクは、リンクが別のリンクに干渉することなくデータを送信できる少なくとも１個の帯域が存在する場合に、Ｒｘ−譲渡しない。提案するＦＤＭスキームでは、たとえ低い優先度を持っていても、Ｒｘ−譲渡が生じることが予期されることは少なく、別のリンクへの干渉を生じさせることなくリソース全体へのアクセスを獲得することよりも、別のリンクへの干渉を生じさせることなく帯域のうちの１個へのアクセスを獲得することの確率が多いにある。
【００３８】
１つの構成では、好ましいサブセットは、リンクによって決定されないが、ＣＩＤおよび時間に基づいて擬似ランダムに選択される。このようなアプローチは、好ましいサブセットを通信するオーバーヘッドを低減させる利点を有する。別の構成では、好ましいサブセットのサイズは、リンクの長さ／距離およびデータレートに依存する。したがって、高データレートを必要とする短いリンクは、大きな好ましいサブセットを選択してもよく、長いリンクは、小さな好ましいサブセットを選択してもよく、低データレートを持つ短いリンクは、小さな好ましいサブセットを選択してもよい。別の構成では、好ましいサブセットは、予め定められている可能性がある。例えば、すべての長いリンクは、１個の帯域の好ましいサブセットを有していてもよく、すべての短いリンクは、２ないしｎ個の帯域の好ましいサブセットを有していてもよい。別の構成では、スケジューリング要求とともに、各リンクはまた、リンクが争っている帯域を送ってもよい。別の構成では、ｎ個の帯域は、異なるサイズである（すなわち、それぞれが、異なる数の副搬送波を有する）可能性がある。別の構成では、帯域は、周波数直交リソースであるよりもむしろ、時間直交リソースである可能性がある。このようなアプローチでは、電力制限されている長いリンクは、必ずしも利益を得ない。しかしながら、アプローチは、既存のＤＭシステム中で、いくつかのリソースを長いリンクに割り振ることにより、長いリンクの性能を向上させるのに有用である可能性がある。
【００３９】
図１１Ａは、長いリンクと短いリンクとの間で帯域を分割することを図示している第１のダイヤグラム１１００である。図１１Ｂは、長いリンクと短いリンクとの間で帯域を分割することを図示している第２のダイヤグラム１１５０である。周波数スペクトルは、２個の（可能性としては同等ではない）サブバンド、帯域１および帯域２に分割されていてもよい。帯域１では、リンクＬ２のような短いリンクのみが、リソースをめぐって争うことができる。帯域２では、リンクＬ１のような長いリンクが、短いリンクと比較して常に優先度を獲得する。長いリンクは、帯域２をめぐってのみ争う。短いリンクは、帯域１および帯域２の双方をめぐって争う。
【００４０】
別の例では、周波数スペクトルは、複数のサブバンドに分割されていてもよい。長いリンクは、それらの好ましい帯域中でのみ争ってもよい。短いリンクは、複数の帯域中で争ってもよい。短いリンクは、それらのＳＮＲに基づいて、異なる数の帯域中で争ってもよい。スキームの１つの変形では、すべてのリンクは、１つの好ましい帯域を有する。リンクは、それらの好ましい帯域中で最高の優先度レベルを有していてもよい。別の帯域では、優先度レベルは、好ましい帯域の関数であってもよい。別の変形では、短いリンクは、それらの好ましい帯域として、複数の帯域を選択してもよい。好ましい帯域の選択は、負荷バランシングに基づいてもよく、または、時間の関数としてランダムであってもよい。負荷バランシングに基づくとき、リンクは、最も少ない数のリンクが存在し、媒体へのアクセスが互いに排他的な帯域を選択してもよい。
【００４１】
図１２は、例示的な方法のフローチャート１２００である。方法は、第１のノードとのピアツーピア通信中であるワイヤレスデバイスにより実行される。図１２に示しているように、ワイヤレスデバイスは、第１のノードと通信するための、帯域のセットのうちの帯域の好ましいサブセットを決定する。帯域の好ましいサブセットを決定するために、ワイヤレスデバイスは、隣接するリンクに対する帯域の好ましいサブセットを示す情報を受信し（１２０２）、受信した情報に基づいて、帯域の好ましいサブセットを選択する（１２０４）。加えて、ワイヤレスデバイスは、帯域の選択した好ましいサブセットを示す情報を送信する（１２０６）。ワイヤレスデバイスは、スケジューリング要求を第１のノードと通信し（１２０８）、隣接するリンクからスケジューリング制御信号を受信する（１２１０）。続いて、ワイヤレスデバイスは、帯域の好ましいサブセットと、受信した情報と、隣接するリンクから受信したスケジューリング制御信号と、スケジューリング要求とに基づいて、帯域のセットの各帯域上でデータ送信をスケジューリングするか否かを決定する。
【００４２】
１つの構成では、情報は、スケジューリング要求とともに送信される。１つの構成では、帯域の好ましいサブセットは、接続識別子および時間に基づいて決定される。１つの構成では、帯域のセット中の各帯域に対してデータ送信をスケジューリングするか否かを決定するために、ワイヤレスデバイスは、帯域の好ましいサブセットに基づいて、第１のノードとの通信に対する優先度を決定し、帯域のそれらの好ましいサブセットに基づいて、隣接するリンクに対する優先度を決定し、第１のノードとの通信に対する優先度と隣接するリンクに対する優先度とに基づいて、帯域上でデータをスケジューリングするか否かを決定する。１つの構成では、第１のノードとの通信に対する優先度および隣接するリンクに対する優先度は、接続識別子および時間に基づいている。別の構成では、スケジューリング要求は、送信要求および送信要求応答もしくは非応答を含み、データ送信は、送信要求応答が送信されるときのみにスケジューリングされる。１つの構成では、帯域の好ましいサブセットを決定するために、ワイヤレスデバイスは、第１のノードとのＳＮＲが、第１のしきい値よりも大きく、第１のノードとの通信が、第２のしきい値を上回るデータレートを必要とするときに、ｍ個の帯域を含むように好ましいサブセットを決定する。加えて、このような構成では、ワイヤレスデバイスは、第１のノードとのＳＮＲが、第１のしきい値よりも少ない、または、第１のノードとの通信が、第２のしきい値を下回るデータレートを必要とするときに、ｍ個よりも少ないｎ個の帯域を含むように好ましいサブセットを決定する。１つの構成では、帯域の好ましいサブセットは予め定められている。１つの構成では、帯域のサブセットは、第１のしきい値に関して第１のノードとのＳＮＲ、および、第２のしきい値に関してデータレートのうちの少なくとも１つに基づいて、予め定められている。１つの構成では、帯域のセット中の帯域のうちの少なくとも２個は、異なるサイズを有する。１つの構成では、帯域は、周波数直交帯域である。１つの構成では、帯域は、時間直交帯域である。
【００４３】
図１３は、例示的な装置１００の機能性を図示している概念ブロックダイヤグラム１３００である。装置１００は、第１のノードと通信するための、帯域のセットのうちの帯域の好ましいサブセットを決定するモジュール１３０２と、スケジューリング要求を第１のノードと通信するモジュール１３０４と、帯域の好ましいサブセットおよびスケジューリング要求に基づいて、帯域のセットの各帯域上でデータ送信をスケジューリングするか否かを決定するモジュール１３０６とを備える。
【００４４】
図１を参照すると、１つの構成では、ワイヤレス通信のための装置１００は、第１のノードと通信するための、帯域のセットのうちの帯域の好ましいサブセットを決定する手段と、スケジューリング要求を第１のノードと通信する手段と、帯域の好ましいサブセットおよびスケジューリング要求に基づいて、帯域のセットの各帯域上でデータ送信をスケジューリングするか否かを決定する手段とを備える。１つの構成では、帯域の好ましいサブセットを決定する手段は、隣接するリンクに対する帯域の好ましいサブセットを示す情報を受信する手段と、受信した情報に基づいて、帯域の好ましいサブセットを選択する手段とを備える。１つの構成では、装置１００はさらに、帯域の選択した好ましいサブセットを示す情報を送信する手段を備える。１つの構成では、帯域のセット中の各帯域に対してデータ送信をスケジューリングするか否かを決定する手段は、帯域の好ましいサブセットに基づいて、第１のノードとの通信に対する優先度を決定する手段と、帯域のそれらの好ましいサブセットに基づいて、隣接するリンクに対する優先度を決定する手段と、第１のノードとの通信に対する優先度と隣接するリンクに対する優先度とに基づいて、帯域上でデータをスケジューリングするか否かを決定する手段とを備える。１つの構成では、装置１００はさらに、隣接するリンクからスケジューリング制御信号を受信する手段を備える。１つの構成では、帯域の好ましいサブセットを決定する手段は、第１のノードとのＳＮＲが第１のしきい値よりも大きく、第１のノードとの通信が第２のしきい値を上回るデータレートを必要とするときに、ｍ個の帯域を含むように好ましいサブセットを決定する手段と、第１のノードとのＳＮＲが第１のしきい値よりも小さく、または、第１のノードとの通信が第２のしきい値を下回るデータレートを必要とするときに、ｍ個よりも少ないｎ個の帯域を含むように好ましいサブセットを決定する手段とを備える。前述した手段は、前述した手段により規定された機能を実行するように構成されている処理システム１１４である。
【００４５】
開示されるプロセスにおけるステップの特定の順序もしくは階層は例示的なアプローチの実例であることは理解される。設計の選好に基づいて、プロセスにおけるステップの特定の順序もしくは階層は再構成できることは理解される。添付の方法の請求項はサンプルの順序におけるさまざまなステップのエレメントを示し、提示した特定の順序もしくは階層に限定されることは意図されていない。
【００４６】
前述の説明は、当業者がここで記述した態様を実践することを可能にするために提供されている。これらの態様へのさまざまな修正は当業者にとって容易に明らかになり、ここで規定される包括的な原理は他の態様に適用されてもよい。したがって、特許請求の範囲はここで示した態様に限定されることは意図されておらず、しかし特許請求の範囲の用語と一貫する全ての範囲が与えられるべきであり、単数形でのエレメントへの参照は、特にそのように述べられていない限り「１つおよび１つのみ」を意味するように意図されず、むしろ「１つ以上の」を意味するように意図される。特にそうではないことが述べられていない限り、「いくつかの」という用語は１つ以上のことを指す。当業者に知られている、もしくは、後に知られることになる、本開示全体を通して説明したさまざまな態様のエレメントに対する全ての構造的および機能的な均等物は、参照によりここに明示的に組み込まれ、特許請求の範囲により含まれることが意図されている。さらに、ここで開示したものは、このような開示が、特許請求の範囲中に明示的に記載されているか否かにかかわらず、公共に捧げられることを意図していない。請求項のエレメントはどれも、エレメントが「のための手段」というフレーズを使用して明示的に記載されていない限り、もしくは、方法の請求項のケースでは、エレメントが「のためのステップ」というフレーズを使用して記載されない限り、米国特許法１１２条第６段落の規定の下で解釈されるべきでない。
【図１】
2013532452.tif 000003
【図２】
2013532452.tif 000004
【図３】
2013532452.tif 000005
【図４】
2013532452.tif 000006
【図５】
2013532452.tif 000007
【図６】
2013532452.tif 000008
【図７】
2013532452.tif 000009
【図８Ａ】
2013532452.tif 000010
【図８Ｂ】
2013532452.tif 000011
【図９】
2013532452.tif 000012
【図１０Ａ】
2013532452.tif 000013
【図１０Ｂ】
2013532452.tif 000014
【図１１Ａ】
2013532452.tif 000015
【図１１Ｂ】
2013532452.tif 000016
【図１２】
2013532452.tif 000017
【図１３】
2013532452.tif 000018
【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
ワイヤレスデバイスを動作させる方法において、
第１のノードと通信するための、帯域のセットのうちの帯域の好ましいサブセットを決定することと、
スケジューリング要求を前記第１のノードと通信することと、
前記帯域の好ましいサブセットおよび前記スケジューリング要求に基づいて、前記帯域のセットの各帯域に対してデータ送信をスケジューリングするか否かを決定することとを含む方法。
【請求項２】
前記帯域の好ましいサブセットを決定することは、
隣接するリンクに対する帯域の好ましいサブセットを示す情報を受信することと、
前記受信した情報に基づいて、前記帯域の好ましいサブセットを選択することとを含む請求項１記載の方法。
【請求項３】
前記選択した帯域の好ましいサブセットを示す情報を送信することをさらに含む請求項２記載の方法。
【請求項４】
前記情報は、前記スケジューリング要求とともに送信される請求項３記載の方法。
【請求項５】
前記帯域の好ましいサブセットは、接続識別子および時間に基づいて決定される請求項１記載の方法。
【請求項６】
前記データ送信をスケジューリングするか否かを決定することは、前記帯域のセット中の各帯域に対して、
前記帯域の好ましいサブセットに基づいて、前記第１のノードとの通信に対する優先度を決定することと、
隣接するリンクの帯域の好ましいサブセットに基づいて、前記隣接するリンクに対する優先度を決定することと、
前記第１のノードとの通信に対する優先度および前記隣接するリンクに対する優先度に基づいて、前記帯域上で前記データをスケジューリングするか否かを決定することとを含む請求項１記載の方法。
【請求項７】
前記第１のノードとの通信に対する優先度および前記隣接するリンクに対する優先度は、接続識別子および時間に基づいている請求項６記載の方法。
【請求項８】
前記隣接するリンクからスケジューリング制御信号を受信することをさらに含み、前記帯域上で前記データをスケジューリングするか否かを決定することはさらに、前記受信したスケジューリング制御信号に基づいている請求項６記載の方法。
【請求項９】
前記スケジューリング要求は、送信要求および送信要求応答もしくは非応答を含み、前記データ送信は、前記送信要求応答が送信されるときにのみスケジューリングされる請求項１記載の方法。
【請求項１０】
前記帯域の好ましいサブセットを決定することは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定することと、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定することとを含む請求項１記載の方法。
【請求項１１】
前記帯域の好ましいサブセットは予め定められている請求項１記載の方法。
【請求項１２】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項１１記載の方法。
【請求項１３】
前記帯域のセット中の帯域のうちの少なくとも２個は、異なるサイズを有している請求項１記載の方法。
【請求項１４】
前記帯域は、周波数直交帯域である請求項１記載の方法。
【請求項１５】
前記帯域は、時間直交帯域である請求項１記載の方法。
【請求項１６】
ワイヤレス通信のための装置において、
第１のノードと通信するための、帯域のセットのうちの帯域の好ましいサブセットを決定する手段と、
スケジューリング要求を前記第１のノードと通信する手段と、
前記帯域の好ましいサブセットおよび前記スケジューリング要求に基づいて、前記帯域のセットの各帯域に対してデータ送信をスケジューリングするか否かを決定する手段とを具備する装置。
【請求項１７】
前記帯域の好ましいサブセットを決定する手段は、
隣接するリンクに対する帯域の好ましいサブセットを示す情報を受信する手段と、
前記受信した情報に基づいて、前記帯域の好ましいサブセットを選択する手段とを備える請求項１６記載の装置。
【請求項１８】
前記選択した帯域の好ましいサブセットを示す情報を送信する手段をさらに具備する請求項１７記載の装置。
【請求項１９】
前記情報は、前記スケジューリング要求とともに送信される請求項１８記載の装置。
【請求項２０】
前記帯域の好ましいサブセットは、接続識別子および時間に基づいて決定される請求項１６記載の装置。
【請求項２１】
前記データ送信をスケジューリングするか否かを決定する手段は、前記帯域のセット中の各帯域に対して、
前記帯域の好ましいサブセットに基づいて、前記第１のノードとの通信に対する優先度を決定する手段と、
隣接するリンクの帯域の好ましいサブセットに基づいて、前記隣接するリンクに対する優先度を決定する手段と、
前記第１のノードとの通信に対する優先度および前記隣接するリンクに対する優先度に基づいて、前記帯域上で前記データをスケジューリングするか否かを決定する手段とを備える請求項１６記載の装置。
【請求項２２】
前記第１のノードとの通信に対する優先度および前記隣接するリンクに対する優先度は、接続識別子および時間に基づいている請求項２１記載の装置。
【請求項２３】
前記隣接するリンクからスケジューリング制御信号を受信する手段をさらに具備し、前記帯域上で前記データをスケジューリングするか否かを決定する手段はさらに、前記受信したスケジューリング制御信号に基づいている請求項２１記載の装置。
【請求項２４】
前記スケジューリング要求は、送信要求および送信要求応答もしくは非応答を含み、前記データ送信は、前記送信要求応答が送信されるときにのみスケジューリングされる請求項１６記載の装置。
【請求項２５】
前記帯域の好ましいサブセットを決定する手段は、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定する手段と、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定する手段とを備える請求項１６記載の装置。
【請求項２６】
前記帯域の好ましいサブセットは予め定められている請求項１６記載の装置。
【請求項２７】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項２６記載の装置。
【請求項２８】
前記帯域のセット中の帯域のうちの少なくとも２個は、異なるサイズを有している請求項１６記載の装置。
【請求項２９】
前記帯域は、周波数直交帯域である請求項１６記載の装置。
【請求項３０】
前記帯域は、時間直交帯域である請求項１６記載の装置。
【請求項３１】
ワイヤレスデバイス中のコンピュータプログラムプロダクトにおいて、
コンピュータ読取可能媒体を含み、
前記コンピュータ読取可能媒体は、
第１のノードと通信するための、帯域のセットのうちの帯域の好ましいサブセットを決定するためのコードと、
スケジューリング要求を前記第１のノードと通信するためのコードと、
前記帯域の好ましいサブセットおよび前記スケジューリング要求に基づいて、前記帯域のセットの各帯域に対してデータ送信をスケジューリングするか否かを決定するためのコードとを有するコンピュータプログラムプロダクト。
【請求項３２】
前記帯域の好ましいサブセットを決定するためのコードは、
隣接するリンクに対する帯域の好ましいサブセットを示す情報を受信するためのコードと、
前記受信した情報に基づいて、前記帯域の好ましいサブセットを選択するためのコードとを有する請求項３１記載のコンピュータプログラムプロダクト。
【請求項３３】
前記コンピュータ読取可能媒体は、前記選択した帯域の好ましいサブセットを示す情報を送信するためのコードをさらに有する請求項３２記載のコンピュータプログラムプロダクト。
【請求項３４】
前記情報は、前記スケジューリング要求とともに送信される請求項３３記載のコンピュータプログラムプロダクト。
【請求項３５】
前記帯域の好ましいサブセットは、接続識別子および時間に基づいて決定される請求項３１記載のコンピュータプログラムプロダクト。
【請求項３６】
前記データ送信をスケジューリングするか否かを決定するためのコードは、前記帯域のセット中の各帯域に対して、
前記帯域の好ましいサブセットに基づいて、前記第１のノードとの通信に対する優先度を決定するためのコードと、
隣接するリンクの帯域の好ましいサブセットに基づいて、前記隣接するリンクに対する優先度を決定するためのコードと、
前記第１のノードとの通信に対する優先度および前記隣接するリンクに対する優先度に基づいて、前記帯域上で前記データをスケジューリングするか否かを決定するためのコードとを有する請求項３１記載のコンピュータプログラムプロダクト。
【請求項３７】
前記第１のノードとの通信に対する優先度および前記隣接するリンクに対する優先度は、接続識別子および時間に基づいている請求項３６記載のコンピュータプログラムプロダクト。
【請求項３８】
前記隣接するリンクからスケジューリング制御信号を受信するためのコードをさらに含み、前記帯域上で前記データをスケジューリングするか否かを決定するためのコードはさらに、前記受信したスケジューリング制御信号に基づいている請求項３６記載のコンピュータプログラムプロダクト。
【請求項３９】
前記スケジューリング要求は、送信要求および送信要求応答もしくは非応答を含み、前記データ送信は、前記送信要求応答が送信されるときにのみスケジューリングされる請求項３１記載のコンピュータプログラムプロダクト。
【請求項４０】
前記帯域の好ましいサブセットを決定するためのコードは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定するためのコードと、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定するためのコードとを有する請求項３１記載のコンピュータプログラムプロダクト。
【請求項４１】
前記帯域の好ましいサブセットは予め定められている請求項３１記載のコンピュータプログラムプロダクト。
【請求項４２】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項４１記載のコンピュータプログラムプロダクト。
【請求項４３】
前記帯域のセット中の帯域のうちの少なくとも２個は、異なるサイズを有している請求項３１記載のコンピュータプログラムプロダクト。
【請求項４４】
前記帯域は、周波数直交帯域である請求項３１記載のコンピュータプログラムプロダクト。
【請求項４５】
前記帯域は、時間直交帯域である請求項３１記載のコンピュータプログラムプロダクト。
【請求項４６】
ワイヤレス通信のための装置において、
第１のノードと通信するための、帯域のセットのうちの帯域の好ましいサブセットを決定し、
スケジューリング要求を前記第１のノードと通信し、
前記帯域の好ましいサブセットおよび前記スケジューリング要求に基づいて、前記帯域のセットの各帯域に対してデータ送信をスケジューリングするか否かを決定するように構成されている処理システムを具備する装置。
【請求項４７】
前記帯域の好ましいサブセットを決定するために、前記処理システムは、
隣接するリンクに対する帯域の好ましいサブセットを示す情報を受信し、
前記受信した情報に基づいて、前記帯域の好ましいサブセットを選択するように構成されている請求項４６記載の装置。
【請求項４８】
前記処理システムは、前記選択した帯域の好ましいサブセットを示す情報を送信するようにさらに構成されている請求項４７記載の装置。
【請求項４９】
前記情報は、前記スケジューリング要求とともに送信される請求項４８記載の装置。
【請求項５０】
前記帯域の好ましいサブセットは、接続識別子および時間に基づいて決定される請求項４６記載の装置。
【請求項５１】
前記データ送信をスケジューリングするか否かを決定するために、前記処理システムは、前記帯域のセット中の各帯域に対して、
前記帯域の好ましいサブセットに基づいて、前記第１のノードとの通信に対する優先度を決定し、
隣接するリンクの帯域の好ましいサブセットに基づいて、前記隣接するリンクに対する優先度を決定し、
前記第１のノードとの通信に対する優先度および前記隣接するリンクに対する優先度に基づいて、前記帯域上で前記データをスケジューリングするか否かを決定するように構成されている請求項４６記載の装置。
【請求項５２】
前記第１のノードとの通信に対する優先度および前記隣接するリンクに対する優先度は、接続識別子および時間に基づいている請求項５１記載の装置。
【請求項５３】
前記処理システムは、前記隣接するリンクからスケジューリング制御信号を受信するようにさらに構成され、前記処理システムは、前記受信したスケジューリング制御信号に基づいて、前記帯域上で前記データをスケジューリングするか否かを決定するようにさらに構成されている請求項５１記載の装置。
【請求項５４】
前記スケジューリング要求は、送信要求および送信要求応答もしくは非応答を含み、前記データ送信は、前記送信要求応答が送信されるときにのみスケジューリングされる請求項４６記載の装置。
【請求項５５】
前記帯域の好ましいサブセットを決定するために、前記処理システムは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定し、
前記第１のノードとの前記ＳＮＲが、前記第１のしきい値よりも少ない、または、前記第１のノードとの通信が、第２のしきい値を下回るデータレートを必要とするときに、ｍ個よりも少ないｎ個の帯域を含むように前記好ましいサブセットを決定するように構成されている請求項４６記載の装置。
【請求項５６】
前記帯域の好ましいサブセットは予め定められている請求項４６記載の装置。
【請求項５７】
前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている請求項５６記載の装置。
【請求項５８】
前記帯域のセット中の帯域のうちの少なくとも２個は、異なるサイズを有している請求項４６記載の装置。
【請求項５９】
前記帯域は、周波数直交帯域である請求項４６記載の装置。
【請求項６０】
前記帯域は、時間直交帯域である請求項４６記載の装置。
【手続補正２】
【補正対象書類名】明細書
【補正対象項目名】００４６
【補正方法】変更
【補正の内容】
【００４６】
前述の説明は、当業者がここで記述した態様を実践することを可能にするために提供されている。これらの態様へのさまざまな修正は当業者にとって容易に明らかになり、ここで規定される包括的な原理は他の態様に適用されてもよい。したがって、特許請求の範囲はここで示した態様に限定されることは意図されておらず、しかし特許請求の範囲の用語と一貫する全ての範囲が与えられるべきであり、単数形でのエレメントへの参照は、特にそのように述べられていない限り「１つおよび１つのみ」を意味するように意図されず、むしろ「１つ以上の」を意味するように意図される。特にそうではないことが述べられていない限り、「いくつかの」という用語は１つ以上のことを指す。当業者に知られている、もしくは、後に知られることになる、本開示全体を通して説明したさまざまな態様のエレメントに対する全ての構造的および機能的な均等物は、参照によりここに明示的に組み込まれ、特許請求の範囲により含まれることが意図されている。さらに、ここで開示したものは、このような開示が、特許請求の範囲中に明示的に記載されているか否かにかかわらず、公共に捧げられることを意図していない。請求項のエレメントはどれも、エレメントが「のための手段」というフレーズを使用して明示的に記載されていない限り、もしくは、方法の請求項のケースでは、エレメントが「のためのステップ」というフレーズを使用して記載されない限り、米国特許法１１２条第６段落の規定の下で解釈されるべきでない。  
以下に、本願出願時の特許請求の範囲に記載された発明を付記する。
［１］ワイヤレスデバイスを動作させる方法において、
第１のノードと通信するための、帯域のセットのうちの帯域の好ましいサブセットを決定することと、
スケジューリング要求を前記第１のノードと通信することと、
前記帯域の好ましいサブセットおよび前記スケジューリング要求に基づいて、前記帯域のセットの各帯域上でデータ送信をスケジューリングするか否かを決定することとを含む方法。
［２］前記帯域の好ましいサブセットを決定することは、
隣接するリンクに対する帯域の好ましいサブセットを示す情報を受信することと、
前記受信した情報に基づいて、前記帯域の好ましいサブセットを選択することとを含む［１］記載の方法。
［３］前記選択した帯域の好ましいサブセットを示す情報を送信することをさらに含む［２］記載の方法。
［４］前記情報は、前記スケジューリング要求とともに送信される［３］記載の方法。
［５］前記帯域の好ましいサブセットは、接続識別子および時間に基づいて決定される［１］記載の方法。
［６］前記データ送信をスケジューリングするか否かを決定することは、前記帯域のセット中の各帯域に対して、
前記帯域の好ましいサブセットに基づいて、前記第１のノードとの通信に対する優先度を決定することと、
隣接するリンクの帯域の好ましいサブセットに基づいて、前記隣接するリンクに対する優先度を決定することと、
前記第１のノードとの通信に対する優先度および前記隣接するリンクに対する優先度に基づいて、前記帯域上で前記データをスケジューリングするか否かを決定することとを含む［１］記載の方法。
［７］前記第１のノードとの通信に対する優先度および前記隣接するリンクに対する優先度は、接続識別子および時間に基づいている［６］記載の方法。
［８］前記隣接するリンクからスケジューリング制御信号を受信することをさらに含み、前記帯域上で前記データをスケジューリングするか否かを決定することはさらに、前記受信したスケジューリング制御信号に基づいている［６］記載の方法。
［９］前記スケジューリング要求は、送信要求および送信要求応答もしくは非応答を含み、前記データ送信は、前記送信要求応答が送信されるときにのみスケジューリングされる［１］記載の方法。
［１０］前記帯域の好ましいサブセットを決定することは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定することと、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定することとを含む［１］記載の方法。
［１１］前記帯域の好ましいサブセットは予め定められている［１］記載の方法。
［１２］前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている［１１］記載の方法。
［１３］前記帯域のセット中の帯域のうちの少なくとも２個は、異なるサイズを有している［１］記載の方法。
［１４］前記帯域は、周波数直交帯域である［１］記載の方法。
［１５］前記帯域は、時間直交帯域である［１］記載の方法。
［１６］ワイヤレス通信のための装置において、
第１のノードと通信するための、帯域のセットのうちの帯域の好ましいサブセットを決定する手段と、
スケジューリング要求を前記第１のノードと通信する手段と、
前記帯域の好ましいサブセットおよび前記スケジューリング要求に基づいて、前記帯域のセットの各帯域上でデータ送信をスケジューリングするか否かを決定する手段とを具備する装置。
［１７］前記帯域の好ましいサブセットを決定する手段は、
隣接するリンクに対する帯域の好ましいサブセットを示す情報を受信する手段と、
前記受信した情報に基づいて、前記帯域の好ましいサブセットを選択する手段とを備える［１６］記載の装置。
［１８］前記選択した帯域の好ましいサブセットを示す情報を送信する手段をさらに具備する［１７］記載の装置。
［１９］前記情報は、前記スケジューリング要求とともに送信される［１８］記載の装置。
［２０］前記帯域の好ましいサブセットは、接続識別子および時間に基づいて決定される［１６］記載の装置。
［２１］前記データ送信をスケジューリングするか否かを決定する手段は、前記帯域のセット中の各帯域に対して、
前記帯域の好ましいサブセットに基づいて、前記第１のノードとの通信に対する優先度を決定する手段と、
隣接するリンクの帯域の好ましいサブセットに基づいて、前記隣接するリンクに対する優先度を決定する手段と、
前記第１のノードとの通信に対する優先度および前記隣接するリンクに対する優先度に基づいて、前記帯域上で前記データをスケジューリングするか否かを決定する手段とを備える［１６］記載の装置。
［２２］前記第１のノードとの通信に対する優先度および前記隣接するリンクに対する優先度は、接続識別子および時間に基づいている［２１］記載の装置。
［２３］前記隣接するリンクからスケジューリング制御信号を受信する手段をさらに具備し、前記帯域上で前記データをスケジューリングするか否かを決定する手段はさらに、前記受信したスケジューリング制御信号に基づいている［２１］記載の装置。
［２４］前記スケジューリング要求は、送信要求および送信要求応答もしくは非応答を含み、前記データ送信は、前記送信要求応答が送信されるときにのみスケジューリングされる［１６］記載の装置。
［２５］前記帯域の好ましいサブセットを決定する手段は、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定する手段と、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定する手段とを備える［１６］記載の装置。
［２６］前記帯域の好ましいサブセットは予め定められている［１６］記載の装置。
［２７］前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている［２６］記載の装置。
［２８］前記帯域のセット中の帯域のうちの少なくとも２個は、異なるサイズを有している［１６］記載の装置。
［２９］前記帯域は、周波数直交帯域である［１６］記載の装置。
［３０］前記帯域は、時間直交帯域である［１６］記載の装置。
［３１］ワイヤレスデバイス中のコンピュータプログラムプロダクトにおいて、
コンピュータ読取可能媒体を含み、
前記コンピュータ読取可能媒体は、
第１のノードと通信するための、帯域のセットのうちの帯域の好ましいサブセットを決定するためのコードと、
スケジューリング要求を前記第１のノードと通信するためのコードと、
前記帯域の好ましいサブセットおよび前記スケジューリング要求に基づいて、前記帯域のセットの各帯域上でデータ送信をスケジューリングするか否かを決定するためのコードとを有するコンピュータプログラムプロダクト。
［３２］前記帯域の好ましいサブセットを決定するためのコードは、
隣接するリンクに対する帯域の好ましいサブセットを示す情報を受信するためのコードと、
前記受信した情報に基づいて、前記帯域の好ましいサブセットを選択するためのコードとを有する［３１］記載のコンピュータプログラムプロダクト。
［３３］前記コンピュータ読取可能媒体は、前記選択した帯域の好ましいサブセットを示す情報を送信するためのコードをさらに有する［３２］記載のコンピュータプログラムプロダクト。
［３４］前記情報は、前記スケジューリング要求とともに送信される［３３］記載のコンピュータプログラムプロダクト。
［３５］前記帯域の好ましいサブセットは、接続識別子および時間に基づいて決定される［３１］記載のコンピュータプログラムプロダクト。
［３６］前記データ送信をスケジューリングするか否かを決定するためのコードは、前記帯域のセット中の各帯域に対して、
前記帯域の好ましいサブセットに基づいて、前記第１のノードとの通信に対する優先度を決定するためのコードと、
隣接するリンクの帯域の好ましいサブセットに基づいて、前記隣接するリンクに対する優先度を決定するためのコードと、
前記第１のノードとの通信に対する優先度および前記隣接するリンクに対する優先度に基づいて、前記帯域上で前記データをスケジューリングするか否かを決定するためのコードとを有する［３１］記載のコンピュータプログラムプロダクト。
［３７］前記第１のノードとの通信に対する優先度および前記隣接するリンクに対する優先度は、接続識別子および時間に基づいている［３６］記載のコンピュータプログラムプロダクト。
［３８］前記隣接するリンクからスケジューリング制御信号を受信するためのコードをさらに含み、前記帯域上で前記データをスケジューリングするか否かを決定するためのコードはさらに、前記受信したスケジューリング制御信号に基づいている［３６］記載のコンピュータプログラムプロダクト。
［３９］前記スケジューリング要求は、送信要求および送信要求応答もしくは非応答を含み、前記データ送信は、前記送信要求応答が送信されるときにのみスケジューリングされる［３１］記載のコンピュータプログラムプロダクト。
［４０］前記帯域の好ましいサブセットを決定するためのコードは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定するためのコードと、
前記第１のノードとの前記ＳＮＲが、前記第１のしきい値よりも少ない、または、前記第１のノードとの通信が、前記第２のしきい値を下回るデータレートを必要とするときに、ｍ個よりも少ないｎ個の帯域を含むように前記好ましいサブセットを決定するためのコードとを有する［３１］記載のコンピュータプログラムプロダクト。
［４１］前記帯域の好ましいサブセットは予め定められている［３１］記載のコンピュータプログラムプロダクト。
［４２］前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている［４１］記載のコンピュータプログラムプロダクト。
［４３］前記帯域のセット中の帯域のうちの少なくとも２個は、異なるサイズを有している［３１］記載のコンピュータプログラムプロダクト。
［４４］前記帯域は、周波数直交帯域である［３１］記載のコンピュータプログラムプロダクト。
［４５］前記帯域は、時間直交帯域である［３１］記載のコンピュータプログラムプロダクト。
［４６］ワイヤレス通信のための装置において、
第１のノードと通信するための、帯域のセットのうちの帯域の好ましいサブセットを決定し、
スケジューリング要求を前記第１のノードと通信し、
前記帯域の好ましいサブセットおよび前記スケジューリング要求に基づいて、前記帯域のセットの各帯域上でデータ送信をスケジューリングするか否かを決定するように構成されている処理システムを具備する装置。
［４７］前記帯域の好ましいサブセットを決定するために、前記処理システムは、
隣接するリンクに対する帯域の好ましいサブセットを示す情報を受信し、
前記受信した情報に基づいて、前記帯域の好ましいサブセットを選択するように構成されている［４６］記載の装置。
［４８］前記処理システムは、前記選択した帯域の好ましいサブセットを示す情報を送信するようにさらに構成されている［４７］記載の装置。
［４９］前記情報は、前記スケジューリング要求とともに送信される［４８］記載の装置。
［５０］前記帯域の好ましいサブセットは、接続識別子および時間に基づいて決定される［４６］記載の装置。
［５１］前記データ送信をスケジューリングするか否かを決定するために、前記処理システムは、前記帯域のセット中の各帯域に対して、
前記帯域の好ましいサブセットに基づいて、前記第１のノードとの通信に対する優先度を決定し、
隣接するリンクの帯域の好ましいサブセットに基づいて、前記隣接するリンクに対する優先度を決定し、
前記第１のノードとの通信に対する優先度および前記隣接するリンクに対する優先度に基づいて、前記帯域上で前記データをスケジューリングするか否かを決定するように構成されている［４６］記載の装置。
［５２］前記第１のノードとの通信に対する優先度および前記隣接するリンクに対する優先度は、接続識別子および時間に基づいている［５１］記載の装置。
［５３］前記処理システムは、前記隣接するリンクからスケジューリング制御信号を受信するようにさらに構成され、前記処理システムは、前記受信したスケジューリング制御信号に基づいて、前記帯域上で前記データをスケジューリングするか否かを決定するようにさらに構成されている［５１］記載の装置。
［５４］前記スケジューリング要求は、送信要求および送信要求応答もしくは非応答を含み、前記データ送信は、前記送信要求応答が送信されるときにのみスケジューリングされる［４６］記載の装置。
［５５］前記帯域の好ましいサブセットを決定するために、前記処理システムは、
前記第１のノードとの信号対ノイズ比（ＳＮＲ）が、第１のしきい値よりも大きく、前記第１のノードとの通信が、第２のしきい値を上回るデータレートを必要とするときに、ｍ個の帯域を含むように前記好ましいサブセットを決定し、
前記第１のノードとの前記ＳＮＲが、前記第１のしきい値よりも少ない、または、前記第１のノードとの通信が、第２のしきい値を下回るデータレートを必要とするときに、ｍ個よりも少ないｎ個の帯域を含むように前記好ましいサブセットを決定するように構成されている［４６］記載の装置。
［５６］前記帯域の好ましいサブセットは予め定められている［４６］記載の装置。
［５７］前記第１のしきい値に関連して、前記第１のノードとの信号対ノイズ比（ＳＮＲ）と、前記第２のしきい値に関連して、データレートとのうちの少なくとも１つに基づいて、前記帯域のサブセットが予め定められている［５６］記載の装置。
［５８］前記帯域のセット中の帯域のうちの少なくとも２個は、異なるサイズを有している［４６］記載の装置。
［５９］前記帯域は、周波数直交帯域である［４６］記載の装置。
［６０］前記帯域は、時間直交帯域である［４６］記載の装置。
【国際調査報告】
2013532452.tif 000019
2013532452.tif 000020
2013532452.tif 000021